(57)【要約】【課題】耐衝撃性の向上が図られたプロジェクターを提供する。【解決手段】プロジェクターは、光源から射出された光束を複数の色光に分離する色分離光学装置２３と、色光を変調して合成する電気光学装置２７と、電気光学装置２７にて合成された光を投写する投写レンズ２８と、色分離光学装置２３、電気光学装置２７、および投写レンズ２８を保持する保持体５と、これらの部材を収納する外装筐体と、を備える。保持体５は、外装筐体に支持され、少なくとも投写レンズ２８を保持するレンズ保持部６と、レンズ保持部６に接続され、少なくとも色分離光学装置２３を保持する光学装置保持部７と、を備える。【選択図】図２
2012008178.tif 000002
【特許請求の範囲】
【請求項１】
光源から射出された光束を複数の色光に分離する色分離光学装置と、
前記色光を変調して合成する電気光学装置と、
前記電気光学装置にて合成された光を投写する投写レンズと、
前記色分離光学装置、前記電気光学装置、および前記投写レンズを保持する保持体と、
前記色分離光学装置、前記電気光学装置、前記投写レンズ、および前記保持体を収納する外装筐体と、
を備え、
前記保持体は、前記外装筐体に支持され、少なくとも前記投写レンズを保持するレンズ保持部と、
前記レンズ保持部に接続され、少なくとも前記色分離光学装置を保持する光学装置保持部と、
を備えることを特徴とするプロジェクター。
【請求項２】
請求項１に記載のプロジェクターであって、
前記レンズ保持部は、前記外装筐体に支持される支持部を備え、
前記光学装置保持部は、前記外装筐体に支持される補助支持部を備え、
前記外装筐体は、前記支持部が支持される主受部と、前記補助支持部が支持される補助受部との間が可撓性を有するように形成されていることを特徴とするプロジェクター。
【請求項３】
請求項１または請求項２に記載のプロジェクターであって、
前記レンズ保持部および前記光学装置保持部は、別体に構成され、前記電気光学装置の光軸を通る平面を挟む両側で接続されていることを特徴とするプロジェクター。
【請求項４】
請求項３に記載のプロジェクターであって、
前記保持体は、少なくとも前記光学装置保持部が板金により形成されていることを特徴とするプロジェクター。
【請求項５】
請求項１〜請求項４のいずれか一項に記載のプロジェクターであって、
前記光学装置保持部は、前記電気光学装置が挿通される挿通部を有し、
前記挿通部には、前記電気光学装置とで形成される開口部が設けられていることを特徴とするプロジェクター。
【請求項６】
請求項５に記載のプロジェクターであって、
前記電気光学装置は、前記レンズ保持部に保持され、
前記挿通部は、前記電気光学装置の移動を規制する規制部を有していることを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調してスクリーンに投写するプロジェクターが知られている。プロジェクターは、企業内でのプレゼンテーションや、家庭内での映画鑑賞等の種々の用途に用いられており、持ち運びし易いように小型化、軽量化を図った技術が提案されている（例えば、特許文献１参照）。
【０００３】
特許文献１に記載のプロジェクターは、光学部品用筐体としてのライトガイドを備え、このライトガイドは、上ライトガイドと、下ライトガイドとで構成されている。上ライトガイドは、光束を射出する照明光学系や複数の色光に分離する色分離光学装置等を収納する。下ライトガイドは、光束を変調する電気光学装置が固定され、変調された光束を投写する投写レンズが固定されるヘッド板が一体的に形成されている。そして、光学部品が収納されたライトガイドは、ロアーケースにネジ固定される。
【先行技術文献】
【特許文献】
【０００４】
【特許文献１】特開２０００−３３８６０２号公報
【発明の概要】
【発明が解決しようとする課題】
【０００５】
しかしながら、特許文献１に記載のプロジェクターは、具体的な説明は記載されていないが、記載された図によると、ライトガイドが投写レンズ近傍に加え、投写レンズから離間した複数の部位がロアーケースにネジ固定されており、落下等によって衝撃を受けた際に、ライトガイドに捻れ等の力が加わる恐れがある。すなわち、特許文献１に記載のプロジェクターは、衝撃を受けた際に、ロアーケースからの衝撃力によってライトガイドが歪み、色分離光学装置、電気光学装置、および投写レンズの相互間の位置がずれる恐れがある。これらの部材の相互間の位置がずれると、プロジェクターから投写される画像の品質が劣化するという課題がある。また、歪が生じないようにライトガイドの剛性を高めると、ライトガイド、ひいてはプロジェクターの大型化や重量化を招くという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を複数の色光に分離する色分離光学装置と、前記色光を変調して合成する電気光学装置と、前記電気光学装置にて合成された光を投写する投写レンズと、前記色分離光学装置、前記電気光学装置、および前記投写レンズを保持する保持体と、前記色分離光学装置、前記電気光学装置、前記投写レンズ、および前記保持体を収納する外装筐体と、を備え、前記保持体は、前記外装筐体に支持され、少なくとも前記投写レンズを保持するレンズ保持部と、前記レンズ保持部に接続され、少なくとも前記色分離光学装置を保持する光学装置保持部と、を備えることを特徴とする。
【０００８】
この構成によれば、色分離光学装置、電気光学装置、および投写レンズを保持する保持体は、レンズ保持部および光学装置保持部を備えている。レンズ保持部には、投写レンズが保持され、色分離光学装置が保持された光学装置保持部が接続される。そして、レンズ保持部は、外装筐体に支持される。投写レンズは、複数のレンズを有し、他の光学装置に比べ、重量が重くなっているので、この投写レンズが保持されるレンズ保持部が外装筐体に支持されることによって、色分離光学装置、電気光学装置、および投写レンズは、安定して所定の位置に維持されることが可能となる。
また、落下等によって外装筐体に衝撃が加わった際に、色分離光学装置、電気光学装置、および投写レンズには、レンズ保持部を介してその衝撃が伝わることとなる。これによって、保持体が分散して支持される場合に比べ、保持体には、捻れ等の力が加わりにくくなる。よって、プロジェクターは、衝撃が加わった際に、色分離光学装置、電気光学装置、および投写レンズの相互間の位置ずれが抑制され、投写される画像の品質の劣化を抑制することが可能となり、耐衝撃性向上が図れる。
【０００９】
［適用例２］上記適用例に係るプロジェクターにおいて、前記レンズ保持部は、前記外装筐体に支持される支持部を備え、前記光学装置保持部は、前記外装筐体に支持される補助支持部を備え、前記外装筐体は、前記支持部が支持される主受部と、前記補助支持部が支持される補助受部との間が可撓性を有するように形成されていることが好ましい。
【００１０】
この構成によれば、保持体は、レンズ保持部に加えて光学装置保持部の補助支持部が外装筐体に支持されているので、色分離光学装置、電気光学装置、および投写レンズのより安定した外装筐体への支持が可能となる。また、外装筐体は、主受部と補助受部との間が可撓性を有するように形成されているので、外装筐体に衝撃が加わった際等に、主受部と補助受部との間が撓んで衝撃力を柔軟に受けることが可能となる。よって、レンズ保持部および光学装置保持部は、互いにストレスを与えることが緩和され、レンズ保持部に保持される部材、および光学装置保持部に保持される部材の互いの位置関係の維持が可能となる。したがって、プロジェクターは、色分離光学装置、電気光学装置、および投写レンズのより安定した保持が可能になると共に、耐衝撃性の向上が図れる。
【００１１】
［適用例３］上記適用例に係るプロジェクターにおいて、前記レンズ保持部および前記光学装置保持部は、別体に構成され、前記電気光学装置の光軸を通る平面を挟む両側で接続されていることが好ましい。
【００１２】
この構成によれば、保持体は、レンズ保持部と光学装置保持部とが別体に構成されているので、使用される材料の選択肢を広げたり、複雑な形状に形成したりすることが可能となる。よって保持体の軽量化や低コスト化、ひいてはプロジェクターの軽量化や低コスト化を講じることが可能となる。また、レンズ保持部と光学装置保持部とは、電気光学装置の光軸を通る平面を挟む両側で接続されているので、衝撃が加わった際の光軸に対する色分離光学装置、電気光学装置、および投写レンズの相互間の位置ずれをさらに抑制することが可能となる。
【００１３】
［適用例４］上記適用例に係るプロジェクターにおいて、前記保持体は、少なくとも前記光学装置保持部が板金により形成されていることが好ましい。
【００１４】
この構成によれば、保持体は、少なくとも光学装置保持部が板金により形成されているので、曲げ加工等によって容易に剛性を高めて色分離光学装置を保持することができると共に、ダイカスト等によって成型された部材に比べ、部品コストの低減や軽量化が可能となる。よって、プロジェクターの製造コストの低減化や軽量化が図れる。
【００１５】
［適用例５］上記適用例に係るプロジェクターにおいて、前記光学装置保持部は、前記電気光学装置が挿通される挿通部を有し、前記挿通部には、前記電気光学装置とで形成される開口部が設けられていることが好ましい。
【００１６】
この構成によれば、光学装置保持部には、電気光学装置とで形成される開口部が設けられているので、電気光学装置に空気を流通させる流路を形成できる。よって、省スペース化を図りつつ電気光学装置を効率よく冷却することが可能となる。
【００１７】
［適用例６］上記適用例に係るプロジェクターにおいて、前記電気光学装置は、前記レンズ保持部に保持され、前記挿通部は、前記電気光学装置の移動を規制する規制部を有していることが好ましい。
【００１８】
この構成によれば、挿通部には、電気光学装置とで形成される開口部、およびレンズ保持部に保持された電気光学装置の移動を規制する規制部が設けられている。これによって、電気光学装置の効率的な冷却を図りつつ、レンズ保持部に衝撃が加わった際の電気光学装置の位置ずれをさらに抑制することが可能となる。
【図面の簡単な説明】
【００１９】
【図１】本実施形態のプロジェクターの概略構成を示す模式図。
【図２】本実施形態の光学ユニットの斜視図。
【図３】本実施形態の光学ユニットの斜視図。
【図４】本実施形態の光学ユニットの断面図。
【図５】本実施形態の保持体の斜視図。
【図６】本実施形態の保持体の斜視図。
【図７】本実施形態の光学ユニットの側面図。
【図８】本実施形態の保持体がロアーケースに支持された状態を示す部分断面図。
【発明を実施するための形態】
【００２０】
以下、本実施形態に係るプロジェクターについて、図面を参照して説明する。
本実施形態のプロジェクターは、光源から射出された光束を画像情報に応じて変調してスクリーン等に投写する。
図１は、本実施形態のプロジェクター１の概略構成を示す模式図である。
図１に示すように、プロジェクター１は、光源装置２１を有する光学ユニット２、制御部、光源装置２１や制御部に電力を供給する電源装置、プロジェクター１内部を冷却する冷却ファン（いずれも図示省略）、およびこれらの構成部材を収納する外装筐体３を備えている。
【００２１】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２２】
光学ユニット２は、制御部による制御の下、光源装置２１から射出された光束を光学的に処理して投写する。
図２、図３は、光学ユニット２の斜視図である。なお、図２、図３は、光源装置２１を省略した図である。
光学ユニット２は、図１〜図３に示すように、光源装置２１に加え、インテグレーター照明光学系２２、色分離光学装置２３、リレーレンズ２４Ｒ，２４Ｂ、偏光板２５Ｒ，２５Ｇ，２５Ｂ、平行化レンズ２６Ｒ，２６Ｇ，２６Ｂ、電気光学装置２７、投写レンズ２８、レンズシフト機構４、およびこれらの光学部品を保持する保持体５を備える。
【００２３】
なお、以下では、説明の便宜上、光源装置２１から光束が射出される方向を＋Ｘ方向、投写レンズ２８から光束が射出される方向を＋Ｙ方向（前方向）、Ｘ方向およびＹ方向に直交し、図２の図面視における上方を＋Ｚ方向（上方向）として記載する。また、図１は、各構成要素を図面上で認識し易くするため、Ｘ，Ｙ，Ｚの方向に対応せず記載する。
【００２４】
光源装置２１は、超高圧水銀ランプやメタルハライドランプ等からなる放電型の光源２１１、リフレクター２１２、および光源２１１とリフレクター２１２とを収納する光源用筐体２１３を備える。そして、光源装置２１は、光源２１１から射出された光束をリフレクター２１２によって射出方向を揃え、インテグレーター照明光学系２２に向けて射出する。
【００２５】
インテグレーター照明光学系２２は、第１レンズアレイ２２１、第２レンズアレイ２２２、偏光変換素子２２３、重畳レンズ２２４、および第１レンズアレイ２２１と、第２レンズアレイ２２２と、偏光変換素子２２３とを収納する照明光学用筐体２２５を備える。重畳レンズ２２４は、後述する色分離用筐体２３５に収納される。
第１レンズアレイ２２１は、マトリクス状に配列された複数の小レンズを有して構成されており、光源装置２１から射出された光束を複数の部分光束に分割する。第２レンズアレイ２２２は、第１レンズアレイ２２１と略同様の構成を有しており、重畳レンズ２２４とともに、部分光束を後述する光変調装置２７０の表面に重畳させる。
偏光変換素子２２３は、第２レンズアレイ２２２から射出されたランダム偏光光を光変調装置２７０で利用可能な第１の直線偏光光に揃える。
【００２６】
色分離光学装置２３は、クロスダイクロイックミラー２３１、Ｇ光反射ダイクロイックミラー２３２、反射ミラー２３３，２３４、およびこれらの光学部品を収納する色分離用筐体２３５を備え、インテグレーター照明光学系２２から射出された光束を赤色光（以下「Ｒ光」という）、緑色光（以下「Ｇ光」という）、青色光（以下「Ｂ光」という）の３色の色光に分離する。
【００２７】
クロスダイクロイックミラー２３１は、Ｂ光反射ダイクロイックミラー２３１Ｂ、およびＧＲ光反射ダイクロイックミラー２３１ＧＲを備え、この２つの光学部品がＸ字状に配置されて構成されている。クロスダイクロイックミラー２３１は、インテグレーター照明光学系２２から射出された光束のうち、Ｂ光をＢ光反射ダイクロイックミラー２３１Ｂが反射し、Ｇ光およびＲ光をＧＲ光反射ダイクロイックミラー２３１ＧＲが反射して、入射する光束を分離する。
【００２８】
Ｂ光反射ダイクロイックミラー２３１Ｂにて反射されたＢ光は、反射ミラー２３３によって反射され、リレーレンズ２４Ｂを透過した後、偏光板２５Ｂに射出される。一方、ＧＲ光反射ダイクロイックミラー２３１ＧＲによって反射されたＧ光およびＲ光は、反射ミラー２３４によって反射された後、リレーレンズ２４Ｒを透過した後、Ｇ光反射ダイクロイックミラー２３２に射出される。
【００２９】
Ｇ光反射ダイクロイックミラー２３２は、入射するＧ光およびＲ光のうち、Ｇ光を反射し、Ｒ光を透過させて入射する光束を分離する。
そして、Ｇ光反射ダイクロイックミラー２３２にて反射されたＧ光は、偏光板２５Ｇに射出され、Ｇ光反射ダイクロイックミラー２３２を透過したＲ光は、偏光板２５Ｒに射出される。
【００３０】
色分離用筐体２３５は、図２に示すように、−Ｘ側に位置し、＋Ｘ側に開口部を有する容器状の第１ケース２３５１と、第１ケース２３５１の開口部を閉塞するように形成された蓋状の第２ケース２３５２とを備えている。第１ケース２３５１と第２ケース２３５２とは、ネジ等により固定されている。
【００３１】
リレーレンズ２４Ｂは、反射ミラー２３３によって反射されたＢ光を、後述する光変調装置２７０Ｂに効率良く導く機能を有している。同様に、リレーレンズ２４Ｒは、反射ミラー２３４によって反射されたＲ光を、後述する光変調装置２７０Ｒに効率良く導く機能を有している。リレーレンズ２４Ｂ，２４Ｒは、色分離用筐体２３５に収納される。
【００３２】
偏光板２５Ｒ，２５Ｇ，２５Ｂは、平行化レンズ２６Ｒ，２６Ｇ，２６Ｂにそれぞれ貼り付けられており、投写される画像のコントラスト化を高めるために備えられている。そして、偏光板２５Ｒ，２５Ｇ，２５Ｂは、色分離光学装置２３から射出された各色光の第１の直線偏光光を透過させ、偏光変換素子２２３にて揃えきれずに射出された第１の直線偏光光と略直交する第２の直線偏光光を吸収する。
【００３３】
平行化レンズ２６Ｒ，２６Ｇ，２６Ｂは、色分離光学装置２３にて分離された各色光が略平行な光束となって光変調装置２７０を照明するように設定されている。平行化レンズ２６Ｒ，２６Ｇ，２６Ｂは、偏光板２５Ｒ，２５Ｇ，２５Ｂとともに色分離用筐体２３５に収納される。
【００３４】
電気光学装置２７は、３色の色光毎に備えられた光変調装置２７０（Ｒ光用の光変調装置を２７０Ｒ、Ｇ光用の光変調装置を２７０Ｇ、Ｂ光用の光変調装置を２７０Ｂとする）、色合成光学装置としてのクロスダイクロイックプリズム２７３、およびホルダー２７４（図３参照）を備え、色分離光学装置２３にて分離された各色光を画像情報に応じて変調し、変調された各色光を合成する。
【００３５】
光変調装置２７０Ｒ，２７０Ｇ，２７０Ｂは、反射型偏光板２７１、反射型液晶パネル２７２およびフレーム２７５（図２参照）をそれぞれ備える。
反射型偏光板２７１は、ガラス基板上にアルミニウム等からなる微細な線状リブを平行に多数配列したワイヤグリッド型の構成になっている。そして、反射型偏光板２７１は、線状リブの延出方向に対して垂直な偏光方向の偏光光を透過し、線状リブの延出方向に平行な偏光方向の偏光光を反射する。
【００３６】
本実施形態の反射型偏光板２７１は、偏光変換素子２２３で揃えられた第１の直線偏光光を透過させ、第２の直線偏光光を反射する。なお、反射型偏光板２７１の光路前段側に位相差板を配置し、反射型偏光板２７１が第２の直線偏光光を透過し、第１の直線偏光光を反射するように構成してもよい。
【００３７】
反射型液晶パネル２７２は、対向する基板間に液晶層が挟持された構造を有しており、いわゆるＬＣＯＳ（Liquid Crystal On Silicon）で構成されている。そして、一方の基板であるシリコン基板上には、スイッチング素子が接続された反射画素電極がマトリクス状に形成され、他方の基板（透明基板）には、対向電極が形成されている。
【００３８】
反射型液晶パネル２７２は、制御部からの駆動信号に応じて反射画素電極と対向電極との間に電圧が印加され、液晶の配向状態が制御される。そして、反射型液晶パネル２７２は、反射型偏光板２７１を透過した第１の直線偏光光を変調して反射型偏光板２７１に向けて反射する。反射型液晶パネル２７２にて変調され、反射型偏光板２７１にて反射された各色光は、クロスダイクロイックプリズム２７３に射出される。
【００３９】
フレーム２７５は、色光毎に設けられ、反射型偏光板２７１、および反射型液晶パネル２７２を保持し、図示しない部材を介してクロスダイクロイックプリズム２７３に取り付けられる。
【００４０】
クロスダイクロイックプリズム２７３は、４つの直角プリズムを貼り合わせた平面視略正方形状をなし、直角プリズムを貼り合わせた界面には、誘電体多層膜が設けられている。クロスダイクロイックプリズム２７３は、誘電体多層膜が光変調装置２７０Ｇから射出されたＧ光を透過し、光変調装置２７０Ｂ，２７０Ｒから射出されたＢ光およびＲ光を反射して各色光を合成する。そして、クロスダイクロイックプリズム２７３にて合成された光は、光軸Ｌを有して投写レンズ２８に射出される。
【００４１】
ホルダー２７４は、クロスダイクロイックプリズム２７３を支持する部材である。
図４は、光学ユニット２の断面図であり、電気光学装置２７近傍を＋Ｚ方向（上方向）から見た図である。
ホルダー２７４は、図３、図４に示すように、クロスダイクロイックプリズム２７３の−Ｘ側に配置され、プリズム取付け部２７４１、腕部２７４２および固定部２７４３を有している。
プリズム取付け部２７４１は、直方体状に形成されており、＋Ｘ側にクロスダイクロイックプリズム２７３が取り付けられる。腕部２７４２は、プリズム取付け部２７４１の−Ｘ側から延出し、前方（＋Ｙ方向）に傾斜するように形成されている。固定部２７４３は、腕部２７４２の先端に設けられており、端面がＸ−Ｚ平面に沿う平坦面を有し、断面が腕部２７４２より大きく形成されている。そして、固定部２７４３には、図３に示すように、腕部２７４２より突出する角部にネジが挿通される挿通孔２７４４が設けられている。
【００４２】
投写レンズ２８は、複数のレンズを組み合わせた組レンズとして構成され、電気光学装置２７にて合成された光をスクリーン等に拡大投写する。
レンズシフト機構４は、後述する保持体５に取り付けられ、投写レンズ２８を±Ｘ方向、および±Ｚ方向に移動可能に構成されている。
【００４３】
保持体５は、インテグレーター照明光学系２２、色分離光学装置２３、電気光学装置２７、およびレンズシフト機構４を保持するように構成されている。投写レンズ２８は、レンズシフト機構４を介して保持体５に保持されることとなる。そして、保持体５は、これらの部材を保持した状態で外装筐体３に固定される。
【００４４】
外装筐体３は、詳細な説明は省略するが、上部を構成するアッパーケース（図示省略）、および下部を構成するロアーケース３１（図８参照）を備えており、これらは、互いにネジ等により固定されている。そして、保持体５は、このロアーケース３１に支持される。なお、保持体５が支持されるロアーケース３１の部位については、後で詳細に説明する。
【００４５】
ここで、保持体５について、詳細に説明する。
保持体５は、図２、図３に示すように、電気光学装置２７とレンズシフト機構４とを保持するレンズ保持部６、およびインテグレーター照明光学系２２と色分離光学装置２３とを保持する光学装置保持部７を備えている。投写レンズ２８は、レンズシフト機構４を介してレンズ保持部６に保持されることとなる。
【００４６】
先ず、レンズ保持部６について詳細に説明する。
図５、図６は、保持体５の斜視図である。
レンズ保持部６は、アルミダイカスト等によって形成されており、図５、図６に示すように、Ｘ−Ｚ平面に沿って延出するベース部６１、およびベース部６１の±Ｘ両端の下端部から＋Ｙ方向にそれぞれ延出する２つの支持部６２を備え、ベース部６１と支持部６２との間は、平面視三角形状の壁部６３によって補強されている。
【００４７】
ベース部６１は、平面視矩形状に形成されており、中央部には、図２に示すように、投写レンズ２８の光束入射側の端部が挿入される開口部６１１が設けられている。ベース部６１は、図５に示すように、Ｘ−Ｚ平面に沿う後面６１Ａを有しており、開口部６１１の上方、下方には、この後面６１Ａから−Ｙ方向に突出するボス部６１２，６１３が設けられている。
【００４８】
ボス部６１２，６１３は、−Ｘ側がＹ−Ｚ平面に沿い、互いが同一面上に位置する平面６１２Ａ，６１３Ａ（図４参照）を有するように形成されている。この平面６１２Ａ，６１３Ａは、図４に示すように、光軸Ｌの−Ｘ側に、光軸Ｌに近接して設けられている。そして、この平面６１２Ａ，６１３Ａには、±Ｘ方向にネジが螺合可能なネジ穴が設けられている。このボス部６１２，６１３に設けられたネジ穴は、図５に示すように、光軸Ｌを通るＸ−Ｙ平面を挟む両側に配置されることとなる。
【００４９】
また、後面６１Ａには、図３に示すように、−Ｘ側の下側近傍に−Ｙ方向に突出するボス部６１４が形成されている。ボス部６１４は、−Ｘ側がＹ−Ｚ平面に沿う平面６１４Ａを有しており、この平面６１４Ａは、平面６１２Ａ，６１３Ａの−Ｘ方向に位置するように形成されている。そして、平面６１４Ａには、±Ｘ方向にネジが螺合可能なネジ穴が設けられている。さらに、後面６１Ａには、図６に示すように、開口部６１１の−Ｘ側に円柱状に突出する２つの位置決めピン６１５、および複数のネジ穴６１６が設けられている。
【００５０】
ベース部６１の上面６１Ｂには、図５に示すように、上方に突出するボス部６１７が形成され、このボス部６１７には、±Ｚ方向にネジが螺合可能なネジ穴が設けられている。このネジ穴は、光軸Ｌを通るＹ−Ｚ平面に近接し、この平面の＋Ｘ側に設けられている。つまり、ボス部６１２，６１３のネジ穴とボス部６１７のネジ穴とは、光軸Ｌを通るＹ−Ｚ平面を挟む両側に配置されることとなる。また、ベース部６１の下面６１Ｃは、図３に示すように、Ｘ−Ｙ平面に沿って形成されている。
【００５１】
２つの支持部６２は、ロアーケース３１に支持される部位であり、図３に示すように、ベース部６１の下面６１Ｃに倣う下面６２Ａを有し、それぞれの下面６２Ａの中央部には、位置決め穴６２２が形成されている。また、位置決め穴６２２の＋Ｙ方向および−Ｙ方向には、下面６２Ａに対して平行に突出する度当て面６２Ｂが設けられ、この度当て面６２Ｂの中央部には、ネジが挿通される挿通孔６２１が形成されている。
また、図５、図６に示すように、支持部６２の＋Ｙ側の縁部、および−Ｙ側の縁部には、＋Ｚ方向に突出し、壁部６３に接続された補強部６２４が形成されている。
【００５２】
ベース部６１の＋Ｙ側については、詳細な説明は省略するが、図２、図３に示すように、レンズシフト機構４が取り付けられ、投写レンズ２８は、このレンズシフト機構４にネジ固定される。電気光学装置２７は、ベース部６１の後面６１Ａに固定される。具体的に、電気光学装置２７は、ホルダー２７４が位置決めピン６１５に位置決めされ、固定部２７４３の挿通孔２７４４に挿通されたネジがネジ穴６１６に螺合されてベース部６１に固定される。
【００５３】
次に、光学装置保持部７について詳細に説明する。
光学装置保持部７は、ステンレスや亜鉛メッキ鋼板等の板金で形成されており、図５、図６に示すように、ベース部６１の−Ｙ側に位置するようにベース部６１に接続される。光学装置保持部７は、Ｙ−Ｚ平面に沿って延出する平面視矩形状の本体部７１、および本体部７１から屈曲された上屈曲部７２、下屈曲部７３、補助支持部７４、後屈曲部７５を有している。
【００５４】
本体部７１は、図５、図６に示すように、＋Ｘ側となる第１面７１Ａおよび−Ｘ側となる第２面７１Ｂを有し、図２に示すように、色分離光学装置２３は、第１面７１Ａに保持され、インテグレーター照明光学系２２は第２面７１Ｂに保持される。
【００５５】
本体部７１は、図６に示すように、＋Ｙ側の上端部がベース部６１の上面６１Ｂの上側に位置するように形成され、この上端部の下方には、ベース部６１の開口部６１１に対向する位置に挿通部としての切欠き部７１１が設けられている。また、本体部７１には、−Ｙ側の端部近傍に開口部７１２が形成され、切欠き部７１１と開口部７１２との間には、開口部７１３，７１４が設けられている。
【００５６】
図７は、光学ユニット２の側面図であり、電気光学装置２７近傍を−Ｘ方向から見た図である。
切欠き部７１１は、図７に示すように、ホルダー２７４が挿通される大きさに形成され、後方（−Ｙ方向）に向かって上下方向（±Ｚ方向）の大きさが小さくなる段差を有している。具体的に、切欠き部７１１は、＋Ｙ側端部から−Ｙ方向に向かって順に形成された第１切欠き部７１１１、第２切欠き部７１１２、第３切欠き部７１１３、および第４切欠き部７１１４を有している。
【００５７】
第１切欠き部７１１１は、上下方向（±Ｚ方向）の大きさがベース部６１の開口部６１１の上下方向（±Ｚ方向）の大きさと略同一で、ホルダー２７４の固定部２７４３より大きく形成されている。
第２切欠き部７１１２は、上下方向（±Ｚ方向）の大きさがホルダー２７４の腕部２７４２の上下方向の大きさより大きく形成されている。そして、固定部２７４３および腕部２７４２の上方、下方には、空気が流通可能な開口部７１５が設けられることとなる。このように、切欠き部７１１には、電気光学装置２７とで開口部７１５が形成され、電気光学装置２７、具体的には、光変調装置２７０Ｒ，２７０Ｂを冷却するための空気が流通可能になっている。
【００５８】
第３切欠き部７１１３は、プリズム取付け部２７４１に対して僅かな間隙を有して形成されている。具体的に、第３切欠き部７１１３は、部品公差を加味し、図７に示すように、上側、下側および後側の端面がプリズム取付け部２７４１と干渉しない範囲で隙間が小さくなるように設定されている。そして、第３切欠き部７１１３は、電気光学装置２７の所定以上の移動を規制するようになっており、電気光学装置２７の移動を規制する規制部に相当する。
【００５９】
開口部７１２は、図５、図６に示すように平面視略矩形状に形成され、インテグレーター照明光学系２２から射出された光束が通過する。
開口部７１３は、図５、図６に示すようにトラック状に形成され、偏光板２５Ｒ，２５Ｇ，２５Ｂに対応する位置に設けられている。開口部７１３は、偏光板２５Ｒ，２５Ｇ，２５Ｂを冷却するための空気が流通可能になっている。
開口部７１４は、図５、図６に示すように、トラック状の孔と、矩形状の孔とが合成されたような形状を有し、光変調装置２７０Ｇに対応する位置に設けられている。開口部７１４は、光変調装置２７０Ｇを冷却するための空気が流通可能になっている。
【００６０】
また、本体部７１には、第１切欠き部７１１１近傍にレンズ保持部６のボス部６１２，６１３（図５参照）のネジ穴に対応する位置に、ネジが挿通される挿通孔が形成されている。
【００６１】
上屈曲部７２は、図５に示すように、本体部７１の上端から＋Ｘ方向に屈曲された部位であり、＋Ｙ側の端部は、他の部位より＋Ｘ方向に突出しており、この突出した部位には、ボス部６１７のネジ穴に対応する位置に、ネジが挿通される挿通孔が形成されている。
【００６２】
下屈曲部７３は、図６に示すように、本体部７１の下側の中央部から＋Ｙ側端部まで形成されており、本体部７１から−Ｘ方向に屈曲された後、先端が−Ｚ方向（下方）に屈曲された固定用屈曲部７３１を有している。そして、固定用屈曲部７３１には、レンズ保持部６のボス部６１４（図３参照）のネジ穴に対応する位置に、ネジが挿通される挿通孔が形成されている。
【００６３】
補助支持部７４は、図６に示すように、本体部７１の下側の−Ｙ側端部近傍に設けられており、本体部７１から−Ｘ方向に屈曲され、先端近傍には、ネジが挿通される挿通孔７４１が形成されている。
後屈曲部７５は、図６に示すように、本体部７１の後端から−Ｘ方向に屈曲された部位である。後屈曲部７５には、ネジ穴が形成されており、図示しないシールド部材がネジ固定される。
【００６４】
光学装置保持部７は、電気光学装置２７、レンズシフト機構４および投写レンズ２８が保持されたレンズ保持部６に固定される。具体的に、光学装置保持部７は、本体部７１、上屈曲部７２、および固定用屈曲部７３１がボス部６１２，６１３，６１４，６１７に当接し、各挿通孔に挿通されたネジＳＣがボス部６１２，６１３，６１４，６１７のネジ穴に螺合されてレンズ保持部６に固定される。
【００６５】
このように、光学装置保持部７は、レンズ保持部６と別体に構成され、光軸Ｌを通るＹ−Ｚ平面、および光軸Ｌを通るＸ−Ｙ平面を挟む両側でレンズ保持部６に接続されることとなる。
そして、レンズ保持部６に固定された光学装置保持部７には、インテグレーター照明光学系２２、および色分離光学装置２３が取り付けられる。
そして、保持体５は、前述したように、インテグレーター照明光学系２２、色分離光学装置２３、電気光学装置２７、レンズシフト機構４、および投写レンズ２８を保持した状態でロアーケース３１に支持される。
【００６６】
ここで、保持体５が支持されるロアーケース３１の部位について詳細に説明する。
図８は、保持体５がロアーケース３１に支持された状態を示す部分断面図である。なお、図８は、インテグレーター照明光学系２２、色分離光学装置２３、電気光学装置２７および投写レンズ２８を省略した図である。
【００６７】
ロアーケース３１は、図８に示すように、支持部６２を受ける主受部３１１、および補助支持部７４を受ける補助受部３１２を有し、主受部３１１と補助受部３１２との間が可撓性を有するように形成されている。
主受部３１１には、支持部６２の位置決め穴６２２に挿入される位置決めピン３１１１、および支持部６２の挿通孔６２１に対応するネジ穴３１１２が設けられている。主受部３１１には、補強リブ等が形成され、支持部６２が強固に支持されるようになっている。補助受部３１２には、補助支持部７４の挿通孔７４１に対応するネジ穴３１２１が設けられている。
【００６８】
保持体５は、図８に示すように、支持部６２の位置決め穴６２２にロアーケース３１の位置決めピン３１１１が挿入されて位置決めされる。そして、保持体５は、支持部６２の挿通孔６２１、および補助支持部７４の挿通孔７４１に挿通されたネジＳＣがネジ穴３１１２，３１２１に螺合されてロアーケース３１に固定される。
【００６９】
このように、保持体５は、支持部６２および補助支持部７４がロアーケース３１に支持され、ロアーケース３１は、主受部３１１と補助受部３１２との間が可撓性を有するように形成されている。そして、ロアーケース３１は、衝撃等によって支持部６２および補助支持部７４に力が加わった際に、主受部３１１と補助受部３１２との間が撓み、主受部３１１、補助受部３１２が支持部６２、補助支持部７４にそれぞれ追従するようになっている。
【００７０】
以上説明したように、本実施形態のプロジェクター１によれば、以下の効果を得ることができる。
（１）投写レンズ２８は、複数のレンズを有し、他の光学装置に比べ、重量が重くなっているので、この投写レンズ２８が保持されるレンズ保持部６が外装筐体３に支持されることによって、色分離光学装置２３、電気光学装置２７、および投写レンズ２８は、安定して所定の位置に維持されることが可能となる。
【００７１】
（２）保持体５は、レンズ保持部６の支持部６２に加えて光学装置保持部７の補助支持部７４が外装筐体３に支持されているので、色分離光学装置２３、電気光学装置２７、および投写レンズ２８のより安定した外装筐体３への支持が可能となる。また、外装筐体３は、主受部３１１と補助受部３１２との間が可撓性を有するように形成され、外装筐体３に衝撃が加わった際等に、主受部３１１と補助受部３１２との間が撓んで衝撃力を柔軟に受けるようになっている。よって、レンズ保持部６および光学装置保持部７は、互いにストレスを与えることが緩和され、レンズ保持部６に保持される部材（電気光学装置２７、投写レンズ２８）、および光学装置保持部７に保持される部材（色分離光学装置２３）の互いの位置関係の維持が可能となる。したがって、プロジェクター１は、色分離光学装置２３、電気光学装置２７、および投写レンズ２８のより安定した位置の維持が可能になると共に、衝撃が加わった際に、相互間の位置ずれが抑制され、投写される画像の品質の劣化を抑制することが可能となり、耐衝撃性の向上が図れる。
【００７２】
（３）保持体５は、レンズ保持部６と光学装置保持部７とが別体に構成されているので、使用される材料の選択肢を広げたり、複雑な形状に形成したりすることが可能となる。よって、保持体５の軽量化や低コスト化、ひいてはプロジェクター１の軽量化や低コスト化を講じることが可能となる。また、レンズ保持部６と光学装置保持部７とは、光軸Ｌを通る平面を挟む両側で接続されているので、衝撃が加わった際の光軸Ｌに対する色分離光学装置２３、電気光学装置２７、および投写レンズ２８の相互間の位置ずれをさらに抑制することが可能となる。
【００７３】
（４）光学装置保持部７は、板金製で上屈曲部７２、下屈曲部７３、補助支持部７４および後屈曲部７５等の屈曲部を有して形成されているので、剛性を有して色分離光学装置２３を保持することができる。また、光学装置保持部７は、ダイカスト等によって成型された部材に比べ、部品コストの低減や軽量化が可能となるので、プロジェクター１の製造コストの低減化や軽量化が図れる。
【００７４】
（５）光学装置保持部７の切欠き部７１１には、電気光学装置２７とで開口部７１５が形成されるので、電気光学装置２７に空気を流通させる流路を形成できる。よって、省スペース化を図りつつ電気光学装置２７を効率よく冷却することが可能となる。
【００７５】
（６）切欠き部７１１には、電気光学装置２７とで形成される開口部７１５に加え、レンズ保持部６に保持された電気光学装置２７の移動を規制する第３切欠き部７１１３が設けられている。これによって、電気光学装置２７の効率的な冷却を図りつつ、レンズ保持部６に衝撃が加わった際の電気光学装置２７の位置ずれをさらに抑制することが可能となる。
【００７６】
（変形例）
なお、前記実施形態は、以下のように変更してもよい。
前記実施形態の投写レンズ２８は、レンズシフト機構４を介してレンズ保持部６に保持されるように構成されているが、レンズシフト機構４を備えないプロジェクターにおいて、レンズ保持部６に直接保持されるように構成してもよい。
【００７７】
前記実施形態の保持体５は、支持部６２および補助支持部７４が外装筐体３に支持されるように構成されているが、投写レンズ２８の重量に比べて色分離光学装置２３の重量が大きく下回る場合等、補助支持部７４を削除し、支持部６２のみで外装筐体に支持されるように構成してもよい。
【００７８】
前記実施形態のプロジェクター１は、光変調装置として反射型液晶パネル２７２を用いているが、透過型の液晶パネルを利用したものであってもよい。
【００７９】
前記実施形態の光源装置２１は、放電型の光源２１１を採用しているが、レーザーダイオード、ＬＥＤ（Light Emitting Diode）、有機ＥＬ（Electro Luminescence）素子、シリコン発光素子などの各種固体発光素子で構成してもよい。
【符号の説明】
【００８０】
１…プロジェクター、２…光学ユニット、３…外装筐体、５…保持体、６…レンズ保持部、７…光学装置保持部、２１…光源装置、２３…色分離光学装置、２７…電気光学装置、２８…投写レンズ、３１…ロアーケース、６１…ベース部、６２…支持部、７１…本体部、７４…補助支持部、２１１…光源、２７０，２７０Ｂ，２７０Ｇ，２７０Ｒ…光変調装置、２７１…反射型偏光板、２７２…反射型液晶パネル、２７３…クロスダイクロイックプリズム、２７４…ホルダー、３１１…主受部、３１２…補助受部、７１１…切欠き部、７１２，７１３，７１４，７１５…開口部、７１１１…第１切欠き部、７１１２…第２切欠き部、７１１３…第３切欠き部、７１１４…第４切欠き部、Ｌ…光軸。
【図１】
2012008178.tif 000003
【図２】
2012008178.tif 000004
【図３】
2012008178.tif 000005
【図４】
2012008178.tif 000006
【図５】
2012008178.tif 000007
【図６】
2012008178.tif 000008
【図７】
2012008178.tif 000009
【図８】
2012008178.tif 000010